(57)【要約】【課題】部品の大型化やアッセンブリ操作力の増大を招かずに複数の構成部品の保持力を強化できるコネクタを提供する。【解決手段】コネクタ１１は、端子収容室２３が形成されたコネクタ部１７とコネクタカバー部１９とに分割形成され、端子挿入方向Ｃへ互いにスライド嵌合することにより一体とされるコネクタハウジング１３を備える。コネクタハウジング１３に組み込まれ、端子収容室２３への端子２７の挿入を可能とする仮係止位置と端子２７の抜け止めをする本係止位置とでコネクタハウジング１３に係止されるスペーサ１５が、スライド嵌合方向Ｃと直交する方向Ｄに沿ってコネクタ部１７及びコネクタカバー部１９を貫通してこれらコネクタ部１７及びコネクタカバー部１９のスライド嵌合解除方向Ｅの移動を規制することにより、コネクタハウジング１３が一体に保持される。【選択図】図１
2014107233.tif 000002
【特許請求の範囲】
【請求項１】
端子を収容する端子収容室が形成されたコネクタ部と、前記コネクタ部を覆うコネクタカバー部とに分割形成され、端子挿入方向へ互いにスライド嵌合することにより一体とされるコネクタハウジングを備え、
前記コネクタハウジングに組み込まれ、前記端子収容室への前記端子の挿入を可能とする仮係止位置と前記端子の抜け止めをする本係止位置とで前記コネクタハウジングに係止されるスペーサが、スライド嵌合方向と直交する方向に沿って前記コネクタ部及び前記コネクタカバー部を貫通してこれらコネクタ部及びコネクタカバー部のスライド嵌合解除方向の移動を規制することにより、前記コネクタハウジングが一体に保持されることを特徴とするコネクタ。
【請求項２】
前記コネクタカバー部には、前記端子収容室に収容された前記端子を係止して端子抜けを阻止するランスが設けられていることを特徴とする請求項１に記載のコネクタ。
【発明の詳細な説明】
【技術分野】
【０００１】
本発明は、コネクタに関する。
【背景技術】
【０００２】
コネクタは、半嵌合検知等の付加機能を追加したり、小型化しながら複雑な内部形状の成形を可能にしたりするため等の理由により、複数の構成部品に分割されたものを結合して用いる場合がある（例えば、特許文献１参照）。
図９に示すコネクタ５０１は、端子５１３を収容するコネクタ５０１の主な機能部分を有するハウジング５０３と、ハウジング５０３に対して前方から組み付けられて端子５１３の半嵌合検知を可能とするフロントリテーナ５０５との２部品に分割して構成されている。フロントリテーナ５０５には係止受け部５０７が形成され、係止受け部５０７はハウジング５０３に形成された仮係止部５０９または仮係止部５０９よりも後方の共用係止部（仮係止部、本係止部）５１１に選択的に係止する。フロントリテーナ５０５は、係止受け部５０７が仮係止部５０９と共用係止部５１１との間に嵌合されることでハウジング５０３に対して仮係止位置に保持され、係止受け部５０７が共用係止部５１１に対して後方から係止することにより、仮係止位置側への戻りが規制され、ハウジング５０３に対して本係止位置で保持される。
【先行技術文献】
【特許文献】
【０００３】
【特許文献１】特開２００８−１６２６１号公報
【発明の概要】
【発明が解決しようとする課題】
【０００４】
しかしながら、複数の部品に分割して構成された上述のコネクタ５０１の構造では、係止受け部５０７や共用係止部５１１のロックによってフロントリテーナ５０５の結合状態の保持を行う必要がある。フロントリテーナ５０５の保持力をアップするには、係止受け部５０７や共用係止部５１１の係り代を大きくしたり、係止受け部５０７及び共用係止部５１１の強度を上げたりしなければならない。即ち、ロックアーム等の可撓構造のロックによって複数の構成部品の結合状態の保持を行う場合、保持力をアップするには、ロックの係り代を大きくしたり、ロックアームを強化したりしなければならず、部品の大型化やアッセンブリ操作力の増大を招くという問題がある。
【０００５】
本発明は上記状況に鑑みてなされたもので、その目的は、部品の大型化やアッセンブリ操作力の増大を招かずに複数の構成部品の保持力を強化できるコネクタを提供することにある。
【課題を解決するための手段】
【０００６】
本発明に係る上記目的は、下記構成により達成される。
（１）  端子を収容する端子収容室が形成されたコネクタ部と、前記コネクタ部を覆うコネクタカバー部とに分割形成され、端子挿入方向へ互いにスライド嵌合することにより一体とされるコネクタハウジングを備え、前記コネクタハウジングに組み込まれ、前記端子収容室への前記端子の挿入を可能とする仮係止位置と前記端子の抜け止めをする本係止位置とで前記コネクタハウジングに係止されるスペーサが、スライド嵌合方向と直交する方向に沿って前記コネクタ部及び前記コネクタカバー部を貫通してこれらコネクタ部及びコネクタカバー部のスライド嵌合解除方向の移動を規制することにより、前記コネクタハウジングが一体に保持されることを特徴とするコネクタ。
【０００７】
上記（１）の構成のコネクタによれば、スペーサが、コネクタ部及びコネクタカバー部のスライド嵌合方向と直交する方向に沿ってこれらコネクタ部及びコネクタカバー部を貫通することにより、スペーサ前面がコネクタカバー部の抜止め部と当接する。これにより、コネクタ部及びコネクタカバー部は、スペーサを介してスライド嵌合解除方向の移動が規制され、コネクタハウジングが一体に保持される。即ち、スペーサが、かんぬきのようにコネクタ部とコネクタカバー部を貫通することによってコネクタハウジングを一体に保持することができるので、ロックアーム等の可撓構造のロックが不要となる。
【０００８】
（２）  上記（１）の構成のコネクタであって、前記コネクタカバー部には、前記端子収容室に収容された前記端子を係止して端子抜けを阻止するランスが設けられていることを特徴とするコネクタ。
【０００９】
上記（２）の構成のコネクタによれば、端子収容室が形成されるコネクタ部と別体に形成されるコネクタカバー部にランスが設けられることで、コネクタハウジングの小型化が容易となる。即ち、コネクタハウジングの小型化により小さくなる端子収容室内にも、ランスを一体成形することが可能となる。
【発明の効果】
【００１０】
本発明に係るコネクタによれば、部品の大型化やアッセンブリ操作力の増大を招かずに複数の構成部品の保持力を強化できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明の一実施形態に係るコネクタの分解斜視図である。
【図２】（ａ）は図１に示したコネクタ部のスペーサ受入れ部の拡大図、（ｂ）は図１に示したスペーサ側面の拡大図である。
【図３】電線に接続された端子の斜視図である。
【図４】図１に示したコネクタ部とコネクタカバー部が結合され、スペーサが未装着のコネクタハウジングの斜視図である。
【図５】（ａ）はスペーサが仮係止位置のコネクタハウジングの正面図、（ｂ）は（ａ）のＡ−Ａ断面図である。
【図６】スペーサの仮係止位置で端子が装着されたコネクタハウジングの斜視図である。
【図７】（ａ）は図５（ａ）のＢ−Ｂ断面図、（ｂ）は（ａ）に示したスペーサが本係止位置へ移動された断面図である。
【図８】（ａ）はスペーサが仮係止位置のコネクタハウジングの要部拡大斜視図、（ｂ）はスペーサが本係止位置のコネクタハウジングの要部拡大斜視図である。
【図９】従来のコネクタの断面図である。
【発明を実施するための形態】
【００１３】
以下、本発明に係る実施形態を図面を参照して説明する。
図１に示すように、本発明の一実施形態に係るコネクタ１１は、コネクタハウジング１３に、合成樹脂製のスペーサ１５を備えている。コネクタハウジング１３は、ハウジングを小型化しながらランス６０を備えた複雑な内部形状の端子収容室２３の成形を可能とするため、合成樹脂製のコネクタ部１７と、コネクタ部１７を覆う同じく合成樹脂製のコネクタカバー部１９とに分割形成されている。スペーサ１５は、主にコネクタ部１７に挿入されて装着状態となるが、後述するように仮係止位置（図８（ａ）参照）においてはコネクタカバー部１９とも係止する構造となっている。
【００１４】
コネクタ部１７は、図示しない相手コネクタとの結合方向と直交する方向に長い直方体形状に形成され、長手方向に複数並設される端子収容室２３が上下に複数段（本実施形態では二段）で形成されている。これら端子収容室２３は、相手コネクタとの結合先端側となるコネクタ前面２５と、端子２７の挿入側となるコネクタ後面２９（図５参照）とに貫通して形成される。コネクタカバー部１９には、それぞれの端子収容室２３に係止先端側を突出させる複数のランス６０が設けられ、ランス６０は端子２７の段部２８を係止して端子収容室２３からの端子２７の後抜けを阻止する。コネクタ前面２５には、それぞれの端子収容室２３に応じ雄端子拾い面３１が形成され、雄端子拾い面３１は相手コネクタの雄端子の受け入れを案内する。
【００１５】
コネクタ部１７の上面略中央には、基端がコネクタ部１７に接続されて先端が後方へ向かって自由端となるロックアーム３３が一体に成形されている。ロックアーム３３の略中央部には、上方に向けてロック爪３５が突設され、ロック爪３５が相手コネクタを結合状態にロックする。ロックアーム３３の自由端は、コネクタカバー部１９の後方鍔部３７に穿設された挿通穴３９に挿入され、コネクタ後方からのロック解除操作が可能となる。
【００１６】
図２（ａ）に示すように、コネクタ側面４１には、蟻溝状のガイド溝４３がコネクタ前後方向に沿って形成され、ガイド溝４３にはコネクタカバー部１９のガイド凸条４５がガイド溝４３の後端側から挿入される。
【００１７】
コネクタ部１７の前部側には、下面側から長手方向に渡って凹設されたスペーサ受入れ部４７が形成され、スペーサ受入れ部４７はスペーサ１５をコネクタ部１７の下面側から受け入れ可能としている。スペーサ受入れ部４７は、端子収容室２３の一部分を開放する。開放された端子収容室２３の一部分は、スペーサ１５がスペーサ受入れ部４７に装着されることで、スペーサ上面４９によって覆われることになる。
【００１８】
コネクタ側面４１には、スペーサ受入れ部４７の後方に、スペーサ本係止部５１が突設される。スペーサ本係止部５１は、スペーサ後面５３に突設された本係止突起５５（図２（ｂ）参照）を係止する。
【００１９】
コネクタ側面４１には、スペーサ受入れ部４７の上方に、カバー係止突起５７が突設される。カバー係止突起５７は、コネクタカバー部１９の係止窓５９の窓前縁６１（図８参照）に仮係止される。コネクタ部１７は、コネクタカバー部１９と端子挿入方向Ｂに沿ったスライド嵌合方向Ｃへ互いにスライド嵌合することにより一体となり、コネクタハウジング１３を構成する。
【００２０】
スペーサ１５は、コネクタ部１７のスペーサ受入れ部４７に嵌合可能となる直方体形状に形成される。スペーサ１５は、スペーサ上面４９が、上段の端子収容室２３の開放される一部分を塞ぐ。スペーサ１５には、下段の端子収容室２３を連通させる複数の端子貫通穴６３が穿設される。端子貫通穴６３は、スペーサ後面５３とスペーサ前面６５とを貫通する。この端子貫通穴６３の底側と、スペーサ上面４９とには、ランス６０によって端子収容室２３内に係止された端子２７を更に係止して二重係止する二重係止突起６７がそれぞれの端子収容室２３に応じて突設されている（図７参照）。二重係止突起６７は、後述するスペーサ１５の仮係止位置では端子収容室２３には突出されず、端子２７と干渉しない退避位置に配置される。
【００２１】
スペーサ１５は、スペーサ前面６５が、コネクタカバー部１９の第１抜止め部６９、第２抜止め部７１、第３抜止め部７３、第４抜止め部７５にそれぞれ当接する。即ち、スペーサ受入れ部４７に挿入されたスペーサ１５は、スペーサ前面６５が第１抜止め部６９、第２抜止め部７１、第３抜止め部７３、第４抜止め部７５に当接することで、コネクタカバー部１９からのコネクタ部１７の前抜けを阻止するよう働く。なお、第２抜止め部７１及び第３抜止め部７３は板状の専用部位で形成されているが、第１抜止め部６９及び第４抜止め部７５はガイド凸条４５の後端面として形成されている。
【００２２】
図２（ｂ）に示すように、スペーサ側面７７には仮係止突起７９が突設されている。仮係止突起７９は、スペーサ１５の仮係止位置において、コネクタカバー部１９の係止窓５９の窓底縁８１（図８（ａ）参照）に係止される。スペーサ後面５３の長手方向両端側には、本係止突起５５が突設されている。この本係止突起５５は、スペーサ１５が本係止位置（図８（ｂ）参照）に移動されると、上述したコネクタ部１７のスペーサ本係止部５１に係止される。本係止突起５５は、スペーサ側面７７に形成したスリット８５によって形成される可撓腕部８７に設けられ、弾性変位可能とされている。
【００２３】
図３に示すように、端子２７は、前部側に弾性接触片を内設した箱状の電気接触部８９を有し、その後方に電線９１の導体を接続する導体圧着部９３と、電線９１を外被９５の外周から加締め固定する電線固定部９７とが順次連設されている。電気接触部８９には、スペーサ１５に設けられた二重係止突起６７が嵌入する二重係止孔９９が穿設されている。
【００２４】
スペーサ１５は、コネクタハウジング１３に組み込まれ、端子収容室２３への端子２７の挿入を可能とする仮係止位置と端子２７の抜け止めをする本係止位置とでコネクタハウジング１３に選択的に係止される。コネクタ１１では、スペーサ１５が、コネクタ部１７とコネクタカバー部１９とのスライド嵌合方向Ｃと直交する方向Ｄに沿ってコネクタ部１７及びコネクタカバー部１９を貫通することにより、これらコネクタ部１７及びコネクタカバー部１９のスライド嵌合解除方向Ｅの移動を規制する。これにより、コネクタ１１は、コネクタハウジング１３が一体に保持される。
【００２５】
次に、上記構成を有するコネクタ１１の組立手順及び作用を説明する。
コネクタ１１の組立手順としては、先ず、図４に示すように、コネクタカバー部１９に対してコネクタ部１７を前方より挿入する。この状態ではコネクタ部１７はコネクタカバー部１９の窓前縁６１に対してカバー係止突起５７が仮係止されているだけなので、端子挿入などの操作でコネクタ部１７を前方に押出す力を受けると簡単に抜けてしまう。同様に、コネクタ部１７からコネクタカバー部１９を後方に引抜く力を受けると簡単に抜けてしまう。
【００２６】
次に、図５及び図７（ａ）に示すように、コネクタカバー部１９にコネクタ部１７を前方より挿入した状態で、スペーサ１５をコネクタ部１７の下方より挿入し、仮係止位置に係止する。この仮係止状態において、スペーサ１５がコネクタ部１７のスペーサ受入れ部４７に入り、同時にスペーサ前面６５がコネクタカバー部１９の第１抜止め部６９、第２抜止め部７１、第３抜止め部７３、第４抜止め部７５と当接する。スペーサ１５がスペーサ受入れ部４７に装着されてスペーサ１５と一体となったコネクタ部１７は、コネクタカバー部１９に対してスライド嵌合解除方向Ｅに移動されようとすると、スペーサ前面６５が第１抜止め部６９、第２抜止め部７１（図１参照）、第３抜止め部７３、第４抜止め部７５（図１参照）と当接し、その移動が阻止される。即ち、コネクタ部１７は、かんぬき（閂）のように作用するスペーサ１５によって、コネクタカバー部１９に対して係止され、端子挿入などの操作で前方に押出す力を受けても抜けなくなる。同様に、コネクタ部１７からコネクタカバー部１９を後方に引抜く力を受けても抜けなくなる。このように、コネクタ１１では、仮係止状態において、スペーサ１５を介してコネクタカバー部１９とコネクタ部１７が確実かつ高強度に抜止めされる。
【００２７】
図６に示すように、スペーサ１５の仮係止位置の状態で、端子２７（図１参照）が、コネクタ部１７、コネクタカバー部１９及びスペーサ１５の組立体に対して後方より挿入され、段部２８がランス６０に係止される。全ての端子２７が装着された後、スペーサ１５をコネクタ部１７の下方から更に押込んで、図７（ｂ）及び図８（ｂ）に示す本係止位置となるように係止する。この本係止状態においても、上記の仮係止状態と同様に、スペーサ前面６５が第１抜止め部６９、第２抜止め部７１、第３抜止め部７３、第４抜止め部７５と当接しており、スペーサ１５を介してコネクタカバー部１９とコネクタ部１７が確実かつ高強度に抜止めされる。このようにスペーサ１５を本係止位置に係止して、コネクタ１１は組立を完了する。
【００２８】
本実施形態のコネクタ１１では、スペーサ１５が、コネクタ部１７及びコネクタカバー部１９のスライド嵌合方向Ｃと直交する方向Ｄに沿ってこれらコネクタ部１７及びコネクタカバー部１９を貫通することにより、スペーサ前面６５がコネクタカバー部１９の第１抜止め部６９、第２抜止め部７１、第３抜止め部７３、第４抜止め部７５と当接する。これにより、コネクタ部１７及びコネクタカバー部１９は、スペーサ１５を介してスライド嵌合解除方向Ｅの移動が規制され、コネクタハウジング１３が一体に保持される。即ち、スペーサ１５が、かんぬきのようにコネクタ部１７とコネクタカバー部１９を貫通することによってコネクタハウジング１３を一体に保持することができる。
【００２９】
このため、２つに分割されたハウジング構成部品であるコネクタ部１７とコネクタカバー部１９の抜止めを、スペーサ１５によって簡易に、かつ強固にすることができる。また、２つに分かれたコネクタ部１７とコネクタカバー部１９の抜止め用にロックアーム等の可撓構造のロックを設ける必要がないため、コネクタハウジング１３の小型化及び形状の簡素化が実現する。
即ち、本実施形態のコネクタ１１は、コネクタハウジング１３を構成するコネクタ部１７とコネクタカバー部１９とを分割形成した後に結合することで、コネクタハウジング１３の小型化により小さくなる端子収容室２３内にも、ランス６０を一体成形することが可能となり、小型化が容易となる。
【００３０】
従って、本実施形態に係るコネクタ１１によれば、部品の大型化やアッセンブリ操作力の増大を招かずに２つに分割されたコネクタ部１７とコネクタカバー部１９の保持力を強化でき、コネクタの小型化が容易となる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３１】
１１…コネクタ
１３…コネクタハウジング
１５…スペーサ
１７…コネクタ部
１９…コネクタカバー部
２３…端子収容室
２７…端子
６０…ランス
Ｂ…端子挿入方向
Ｃ…スライド嵌合方向
Ｄ…スライド嵌合方向と直交する方向
Ｅ…スライド嵌合解除方向
【図１】
2014107233.tif 000003
【図２】
2014107233.tif 000004
【図３】
2014107233.tif 000005
【図４】
2014107233.tif 000006
【図５】
2014107233.tif 000007
【図６】
2014107233.tif 000008
【図７】
2014107233.tif 000009
【図８】
2014107233.tif 000010
【図９】
2014107233.tif 000011